(57)【要約】  本発明に係る冷蔵庫（１００Ａ）は、冷蔵室（１０４）、第一の冷凍室（１０７）、第二の冷凍室（１０５）等の複数の貯蔵室を備えている。これら貯蔵室のうち少なくとも一つが、その内部に、当該貯蔵室に予め設定される設定温度帯で維持される第一の収納区画と、前記設定温度帯とは異なる温度領域を有する第二の収納区画（１０５ｂ）とを有する区画貯蔵室となっている。
2011135865.tif 000002
【特許請求の範囲】
【請求項１】
断熱区画された複数の貯蔵室を備えた冷蔵庫本体と、前記貯蔵室の前面開口部を閉塞する扉とを備え、
前記貯蔵室の少なくとも一つが、その内部に、当該貯蔵室に予め設定される設定温度帯で維持される第一の収納区画と、前記設定温度帯とは異なる温度領域を有する第二の収納区画とを有する区画貯蔵室であることを特徴とする、冷蔵庫。
【請求項２】
前記区画貯蔵室は少なくとも冷凍温度帯に設定することのできる冷凍室であり、
前記第一の収納区画は、前記冷凍温度帯で維持される収納区画であるとともに、前記第二の収納区画は、前記冷蔵温度帯とは異なる温度領域を有する収納区画であることを特徴とする、請求項１に記載の冷蔵庫。
【請求項３】
第二の収納区画は、冷凍区画の食品を冷凍保持する機能とは異なる機能を発現する収納区画であることを特徴とする、請求項２に記載の冷蔵庫。
【請求項４】
第二の収納区画は、食品を調理する機能を備えた収納区画であることを特徴とする、請求項３に記載の冷蔵庫。
【請求項５】
第二の収納区画は、食品を解凍する機能を備えた収納区画であることを特徴とする、請求項３または４に記載の冷蔵庫。
【請求項６】
第二の収納区画は、食品を加熱する機能を備えた収納区画であることを特徴とする、請求項３から５のいずれか一項に記載の冷蔵庫。
【請求項７】
冷蔵庫本体は電磁波発生装置を備え、
第二の収納区画に電磁波を導入することを特徴とする、請求項１から６のいずれか１項に記載の冷蔵庫。
【請求項８】
前記貯蔵室内には金属箱体が設けられ、
前記金属箱体内の空間は電磁的に区画されていることを特徴とする、請求項１から７のいずれか１項に記載の冷蔵庫。
【請求項９】
前記金属箱体には、電波伝送抑制部が設けられていることを特徴とする、請求項８に記載の冷蔵庫。
【請求項１０】
前記電波伝送抑制部は、前記金属箱体の前後方向、略中央部に設けられていることを特徴とする、請求項９に記載の冷蔵庫。
【請求項１１】
さらに電磁波発生装置を備え、
前記区画貯蔵室は少なくとも冷蔵温度帯に設定することのできる冷蔵室であり、
前記第一の収納区画は、冷蔵温度帯で維持される収納区画であるとともに、前記第二の収納区画は、前記冷蔵温度帯以下の温度領域を有する収納区画であり、
前記電磁波発生装置より発振された電磁波が前記第二の収納区画に導入されることを特徴とする、請求項１に記載の冷蔵庫。
【請求項１２】
前記電磁波発生装置は、半導体素子を用いた電磁波発振器と電磁波増幅器からなることを特徴とする、請求項１１に記載の冷蔵庫。
【請求項１３】
前記第二の収納区画は前記第一の収納区画と連通する通気口を備え、
前記通気口は開閉機構を有することを特徴とする、請求項１１または１２に記載の冷蔵庫。
【請求項１４】
前記冷蔵庫は複数の貯蔵室を有し、
前記冷蔵室は前記複数の貯蔵室のうち冷蔵庫の最上部に位置し、前記第二の収納区画は冷蔵室最下部に設けられていることを特徴とする、請求項１１から１３のいずれか１項に記載の冷蔵庫。
【請求項１５】
前記冷蔵庫は複数の貯蔵室を有し、
前記冷蔵室は前記複数の貯蔵室のうち冷蔵庫の最上部に位置し、前記第二の収納区画は冷蔵室最上部に設けられていることを特徴とする、請求項１１から１３のいずれか１項に記載の冷蔵庫。
【請求項１６】
前記貯蔵室を冷却する冷却手段を備え、
前記冷却手段は少なくとも圧縮機を有する冷凍サイクルであり、前記圧縮機を冷蔵庫本体の奥側上部に備えていることを特徴とする、請求項１１から１５のいずれか１項に記載の冷蔵庫。
【発明の詳細な説明】
【技術分野】
【０００１】
本発明は、冷蔵庫に関するものであり、特に、複数の収納区画を有する構造の貯蔵室を備える冷蔵庫に関するものである。
【背景技術】
【０００２】
生活環境の変化が著しい昨今においては、家族それぞれが食事を摂る時間が異なる家庭が増えている。それに伴い、調理した食品（料理）を冷蔵保存し食事の前に再加熱を行う、冷凍した食品を解凍して調理するという作業が増加している。【０００３】
食品を長期間安全においしく保存するには、冷蔵または冷凍工程は欠かせない。したがって、家庭において食品は主に冷蔵庫に保存される。一方、再加熱および解凍は電子レンジまたはコンロ等の調理機器で行うため、保存された食材を冷蔵庫より取出し、移し変えて再加熱または解凍を行い、食卓に並べる必要がある。それゆえ、冷蔵または冷凍された食品を調理するには、面倒な作業が伴った。また、取出し作業は必ず使用者が行う必要があり、予約調理等は不可能であった。【０００４】
この問題を解決するために、冷凍温度から加熱温度までを自由に設定できる切替室を有する冷蔵庫が提案されている（例えば、特許文献１参照）。【０００５】
図１５は特許文献１に開示されている、従来の独立切替室を設けた冷蔵庫の構成を示す概略断面図である。【０００６】
図１５に示すように、冷蔵庫９０１の中段左側には温度切替室９０２が設けられている。温度切替室９０２は冷凍、パーシャル、チルド、冷蔵等の各動作モードから成る低温側に切り替えられると、冷却器９０３から冷気通路９０４冷気が導入され、低温室となる。これにより、貯蔵物を冷蔵保存または冷凍保存できる。温度切替室２は高温側の動作モードに切り替えられると加熱手段９０５が駆動され、温度切替室送風機９０６により温度切替室９０２内で空気を循環して高温室となる。これにより、加熱調理済み食品の一時的な保温または冬場の温調理等ができる。また、温度切替室９０２は急速解凍モードに切り替えられると加熱手段９０５および温度切替室送風機９０６の駆動により貯蔵物に温風が供給され、貯蔵物の解凍を行う。【０００７】
また、冷凍された食品を解凍するために専用の解凍室を備える冷蔵庫も従来から提案されている（例えば、特許文献２参照）。【０００８】
図１６は、特許文献２に開示されている、解凍室を備える冷蔵庫の構成を示す概略断面図であり、図１７は、解凍室の具体的構成を示す分解斜視図である。【０００９】
図１６に示すように、冷蔵庫９１１は仕切壁９１２によって上下に冷凍室９１３と冷蔵室９１４とに区画されている。さらに、冷蔵庫９１１下部に設けられた機械室９１５に、冷凍サイクルを構成する圧縮機９１６が設けられ、冷却室９１７内に冷却器９１８が設けられている。冷却器９１８により冷却された空気が電動送風機９１９によってダクト９２０を通り、冷凍室９１３へ送られ、ダンパ装置（図示せず）を有する冷気吐出口９２１から冷蔵室９１４へ送られ庫内を冷却している。解凍室９２２は冷蔵室９１４上部の冷気吐出口９２１の前に設けられ、下部に電波攪拌室９２３を有する。【００１０】
図１７に示すように、解凍室９２２はキャビティ９２４および肉皿９２５から構成されている。キャビティ９２４は、高周波電波反射材により形成されており、前面開口部９２４ａを有している。肉皿９２５は、低比誘電率材により形成されており、前面開口部９２４ａからキャビティ９２４内に挿入される。キャビティ９２４の後壁（図示せず）の冷気吐出口９２１に対応する位置と天壁前部とには冷気通気口９２４ｂが穿設され、また、肉皿９２５の後壁にも透孔９２５ａが穿設されている。これにより、冷蔵室９１４に吐出された冷気は、図１７の矢印のように解凍室９２２内を循環することができる。【００１１】
機械室９１５には、マグネトロン発振部９２６およびマグネトロン電源装置９２７とからなる高周波発生装置９２８が設けられ、電波攪拌室９２３と導波回路９２９により結合されている。電波攪拌室９２３には、スタラーファン（図示せず）が設けられ電波を上方のキャビティ９２４へ反射する。【００１２】
以上の構成により、肉皿９２５上に載置された冷凍食品は、解凍室の冷気を循環しながら高周波により素早く解凍することができる、とされている。
【先行技術文献】
【特許文献】
【００１３】
【特許文献１】特開２００７−５７１６０号公報（対応特許公報：特許３８８５１５８号公報）
【特許文献２】特公平３−３１９９２号公報
【発明の概要】
【発明が解決しようとする課題】
【００１４】
前述した特許文献１に開示の構成では、切替室を冷凍温度に設定し、購入した冷凍食品を保存しておいた際は、切替室の設定を解凍モードに変えることで、その冷凍食品をそのまま解凍できる。しかしながら、切替室全体を昇温して解凍するため、解凍しない食品は冷凍室へ移す等の手間が必要である。また、庫内温度は冷凍温度帯から解凍温度（少なくとも０℃以上）まで昇温するため、解凍には大きなエネルギーと時間が掛かり、消費電力量が増加するという課題を有していた。【００１５】
また、調理済みの食品を保温する際は、計画的に調理終了時刻に合わせて庫内を昇温し、高温室となったところに食品を投入しなければならず、保温の必要性が発生したときにすぐ使用できないという課題も有していた。【００１６】
また、前述した特許文献２に開示の構成では、解凍室は冷蔵庫内に設けられているため、解凍室に冷蔵食品を保存している場合も、食品を別の貯蔵室に移し変えることなく、冷蔵室内で整理するだけで解凍室を空けることができるが、冷蔵室にあるために、解凍しかできず、冷凍または冷却をおこなった収納区画して利用することができないという課題を有していた。【００１７】
本発明はこのような課題を解決するためになされたものであって、使用者にとって面倒な手間または煩わしい時間を必要とせず、消費電力を抑えながら、使用者の使い勝手を損なうことなしに、冷蔵または冷凍による保存以外の機能を実現することができる、冷蔵庫を提供することを目的とする。
【課題を解決するための手段】
【００１８】
本発明に係る冷蔵庫は、前記課題を解決するために、断熱区画された複数の貯蔵室を備えた冷蔵庫本体と、前記貯蔵室の前面開口部を閉塞する扉とを備え、前記貯蔵室の少なくとも一つが、その内部に、当該貯蔵室に予め設定される設定温度帯で維持される第一の収納区画と、前記設定温度帯とは異なる温度領域を有する第二の収納区画とを有する区画貯蔵室である構成である。【００１９】
前記構成の冷蔵庫においては、前記区画貯蔵室は少なくとも冷凍温度帯に設定することのできる冷凍室であり、前記第一の収納区画は、前記冷凍温度帯で維持される収納区画であるとともに、前記第二の収納区画は、前記冷蔵温度帯とは異なる温度領域を有する収納区画である構成であってよい。これによって、冷凍室内に保存中の冷凍食品を、別の貯蔵室に移し変えることなく、同一貯蔵室内での整理を行うだけで冷凍保存以外の処理を行うことができる。【００２０】
また、前記構成の冷蔵庫においては、さらに電磁波発生装置を備え、前記区画貯蔵室は少なくとも冷蔵温度帯に設定することのできる冷蔵室であり、前記第一の収納区画は、冷蔵温度帯で維持される収納区画であるとともに、前記第二の収納区画は、前記冷蔵温度帯以下の温度領域を有する収納区画であり、前記電磁波発生装置より発振された電磁波が前記第二の収納区画に導入される構成であってもよい。これによって、専用の貯蔵室を設けること無く、冷蔵庫の収納性の低下を最小限に止めて、被冷却物の内外温度差を抑えながら冷却する高品位冷凍と高品位解凍を実現することができる。【００２１】
本発明の上記目的、他の目的、特徴、および利点は、添付図面参照の下、以下の好適な実施態様の詳細な説明から明らかにされる。
【発明の効果】
【００２２】
以上のように、本発明では、使用者にとって面倒な手間または煩わしい時間を必要とせず、消費電力を抑えながら、使用者の使い勝手を損なうことなしに、冷蔵または冷凍による保存以外の機能を実現することができる、という効果を奏する。
【図面の簡単な説明】
【００２３】
【図１】本発明の実施の形態１に係る冷蔵庫の構成の一例を示す正面図である。
【図２】図１に示す冷蔵庫のＩ−Ｉ線矢視方向の側面断面図である。
【図３】図１に示す冷蔵庫における被冷凍物の時間と温度の関係の特性を示すグラフである。
【図４】本発明の実施の形態２に係る冷蔵庫の構成の一例を示す側面断面図である。
【図５】図４に示す冷蔵庫の第二の冷凍室の引き出し扉とフレームおよびケースとの組立状態を示す斜視図である。
【図６】本発明の実施の形態３に係る冷蔵庫の構成の一例を示す側面断面図である。
【図７】本発明の実施の形態４に係る冷蔵庫の構成の一例を示す側面断面図である。
【図８】図７に示す冷蔵庫が備えている金属箱体の構成の一例を示す要部断面図である。
【図９】図８に示す金属箱体の組立状態の一例を示す概略側面図である。
【図１０】図８に示す金属箱体の組立状態の他の例を示す概略側面図である。
【図１１】本発明の実施の形態５に係る冷蔵庫の構成の一例を示す正面図である。
【図１２】図１１に示す冷蔵庫のＩＩ−ＩＩ線矢視方向の側面断面図である。
【図１３】本発明の実施の形態６に係る冷蔵庫の構成の一例を示す正面図である。
【図１４】図１３に示す冷蔵庫のＩＩＩ−ＩＩＩ線矢視方向の側面断面図である。
【図１５】従来の冷蔵庫の中段部の構成を示す正面断面図である。
【図１６】従来の他の冷蔵庫の内部構成を示す側面断面図である。
【図１７】図１６に示す従来の冷蔵庫が備えている解凍室の構成を示す分解斜視図である。
【発明を実施するための形態】
【００２４】
本発明は、断熱区画された貯蔵室を備えた冷蔵庫本体と、前記貯蔵室の前面開口部を閉塞する扉とを備え、前記貯蔵室は少なくとも冷凍室温度帯に設定することできる冷凍室であって、前記冷凍室内には冷凍温度帯で維持される第一の収納区画と、冷凍室温度帯とは異なる温度領域を有する第二の収納区画とを有する構成である。これにより、冷凍室内に保存中の冷凍食品を、別の貯蔵室に移し変えることなく、同一貯蔵室内での整頓を行うだけで冷凍保存以外の処理を行うことができる。調理区画が、例えば０℃から５℃であれば、解凍を行い、そのまま冷蔵保存を行うことができる。
【００２５】
また、４０℃以上の高温であれば加熱調理を行い、保温することが可能である。その際に、目的食品以外にも冷凍食品が冷凍室内に保存されていた場合も、同一貯蔵室内に冷凍温度帯に維持される第一の収納区画が存在するため、貯蔵室から取り出すことなく、加熱を防ぐことが可能であるため、使い勝手が格段に向上する。
【００２６】
また、第二の収納区画は冷凍室内の一部であるために、高温加熱調理時や保温の際に、貯蔵室全体の温度を高温に保つ必要がない。それゆえ、昇温や保温に掛ける時間やエネルギーが小さくなり、省エネ性が向上する。第二の収納区画が、例えば０℃〜５℃であれば、解凍を行い、そのまま冷凍保存を行うことができる。
【００２７】
前記構成の冷蔵庫においては、第二の収納区画を、第一の収納区画の食品を冷凍保持する機能とは異なる機能を発現する収納区画としてもよい。これにより、冷凍室に保存中の食品を、別の貯蔵室に移し変えることなく、冷凍保存以外の処理をすることができるため、使用者の使い勝手が向上する。
【００２８】
前記構成の冷蔵庫においては、第二の収納区画を、食品を調理する機能を備えた収納区画としてもよい。これにより、冷凍室に保存中の食品を、別の貯蔵室に移し変えることなく調理を行うことができるため、使用者の使い勝手が向上する。また、調理後の食品を別の貯蔵室に移し変えることなく冷凍保存することができるため、手間なく長期保存を実現することができる。
【００２９】
前記構成の冷蔵庫においては、第二の収納区画を、食品を解凍する機能を備えた収納区画としてもよい。これにより、冷凍室に保存している冷凍食品を、別の貯蔵室に移し変えることなく、解凍することができるため、使い勝手が向上する。また、食品の一部を調理等に供し、残りを再度冷凍したい場合も、使用しない分は別の貯蔵室に移し変えることなく再冷凍を行うことができるため、再冷凍の手間も低減することができる。
【００３０】
前記構成の冷蔵庫においては、第二の収納区画を、食品を加熱する機能を備えた収納区画としてもよい。これにより、冷凍食品を、別の貯蔵室に移し変えることなく加熱調理を行い、冷凍室から出してそのまま食卓に並べることができるため、調理時間を短縮することができる。また、家族の食事時間がずれた場合は、遅く食事をとる人数分の食事を冷凍室の第二の収納区画に加熱保存しておくことができ、食事を摂る際に再加熱の手間を必要とせず、もし、その日のうちに食べないもしくは食べきれない場合は、別の貯蔵室に移し変えることなく冷凍保存することができるため、調理済みの食品を手間なく安全に長期保存することができる。
【００３１】
前記構成の冷蔵庫においては、冷蔵庫本体を、電磁波発生装置を備え、第二の収納区画に電磁波を導入する構成であってもよい。これにより、雰囲気温度に依らず食品にエネルギーを与えることができるため、食品の凍結温度を任意に操作し凍結状態を制御することができる。そのため、冷凍食品を、別の貯蔵室に移し変えることなく高速解凍を実現することができ、さらに使い勝手を向上させることができる。また、そのとき、低温雰囲気状態で解凍を行うことができるため、過度な温度上昇を防ぎ、高い解凍品質を得ることができる。
【００３２】
さらに、氷結温度以下でも食品が凍結しない状態を保つことができるため、食品の解凍後もそのまま長期間放置することが可能であり、解凍後の食品取り出し忘れによる再冷凍に起因する食品の劣化を防ぐことができ、使用者が安心して使用することができる。また、第二の収納区画温度を−１０℃以下に設定し食品に電磁波を照射することで、食品内の氷結晶の生成を適切に制御でき、高品位冷凍を行うことができる。さらに、第二の収納区画で冷凍後、食品を−２０℃程度の第一の収納区画に移すことにより急速な冷凍が行え、さらに高品位な冷凍状態を得ることができる。
【００３３】
前記構成の冷蔵庫においては、貯蔵室内に金属箱体を設け、この金属箱体内の空間を電磁的に区画したものであってもよい。これにより、仕切りのない同一の空間内において、電磁波を照射する領域と照射しない領域を分けることができる。これにより、使い勝手を損なうことなく、同一室で冷凍保存と解凍を同時に行うことができる。
【００３４】
前記構成の冷蔵庫においては、金属箱体内の空間を電磁的に区画する手段として、電波伝送抑制部を設けたものであってもよい。これにより、金属箱体内の電磁波照射領域を限定することができる。
【００３５】
前記構成の冷蔵庫においては、電波伝送抑制部を金属箱体の前後方向、略中央部に設けたものであってもよい。これにより、解凍対象食品と冷凍保存食品の両方の収納領域を適度に確保することができる。
【００３６】
このように、本発明の構成では、食品を、別の貯蔵室に移し変えることなく第二の収納区画から第一の収納区画に移すことができるため、手間を掛けずに高品位冷凍を行うことができる。
【００３７】
あるいは、本発明は、断熱区画された貯蔵室を備えた冷蔵庫本体と、前記貯蔵室の前面開口部を閉塞する扉と、電磁波発生装置とを備え、前記貯蔵室は少なくとも冷蔵温度帯に設定することのできる冷蔵室であって、前記冷蔵室内には冷蔵温度帯で維持される第一の収納区画と、前記冷蔵温度帯以下の温度領域を有する第二の収納区画とを有し、前記電磁波発生装置より発振された電磁波を第二の収納区画に導入する構成であってもよい。これにより、第二の収納区画において被冷却物の内外温度差を抑えながら冷却する高品位冷凍と解凍を実現することができるため、専用の貯蔵室を設ける必要が無く、収納性の低下を最小限に止めて、高品位の冷凍と解凍を実現することができる。
【００３８】
前記構成の冷蔵庫においては、電磁波発生装置を、半導体素子を用いた電磁波発振器と電磁波増幅器からなるとしたものであり、マグネトロンなどに比べて電磁波発生装置の設置スペースを小さくすることができるため、さらに冷蔵庫の収納性を向上させることができる。
【００３９】
また、半導体素子を用いた電磁波発振器は発生する電磁波の周波数を変動させることができるため、第二の収納区画内に導入された電磁波の反射特性を変動させることで、より均一に食品に電磁波を照射することができる。したがって、スタラーファンなどの電磁波攪拌器を取り付ける必要がないため、第二の収納区画の設置スペースが小さくなり、さらに冷蔵庫の収納性を向上させることができる。
【００４０】
さらに、スタラーファンのスペースを削減することは、第二の収納区画の区画内容積の削減に繋がるため、冷却および電磁波の効率が良くなり、省エネ性を向上させることができる。また、周波数を変動させることができるため、食品に最適の周波数が選択可能となり、より効率良く照射でき、さらに省エネ性を向上させることができる。
【００４１】
前記構成の冷蔵庫においては、前記第二の収納区画に前記第一の収納区画と連通する通気口を備え、前記通気口は開閉機構を有するものであってよい。これにより、解凍時に第一の収納区画と開放することで素早く第二の収納区画内の温度が上昇するため、解凍時間が短縮でき、使用者の使い勝手を向上することができる。また、解凍時間の短縮は、省エネ性の向上にも寄与する。
【００４２】
前記構成の冷蔵庫においては、前記冷蔵庫に複数の貯蔵室を備え、前記冷蔵室を前記複数の貯蔵室のうち冷蔵庫最上部に配置し、前記第二の収納区画を冷蔵室最下部に設けたものであってもよい。これにより、冷蔵庫中央部に第二の収納区画が位置することで、第二の収納区画の収納容器が操作し易くなり、収納食品が出し入れし易く、視認性が高くなるため、使用者の使い勝手を向上することができる。
【００４３】
前記構成の冷蔵庫においては、前記冷蔵庫に複数の貯蔵室を備え、前記冷蔵室を前記複数の貯蔵室のうち冷蔵庫最上部に配置し、前記第二の収納区画を冷蔵室最上部に設けたものであってもよい。これにより、通常手が届きにくい上部に保存食品を多く貯蔵できない第二の収納区画を設置することで、第二の収納区画の設置による冷蔵室の収納性低下の影響を実用上最小限に抑えることができる。
【００４４】
前記構成の冷蔵庫においては、前記貯蔵室を冷却する冷却手段を備え、前記冷却手段は少なくとも圧縮機を有する冷凍サイクルであり、前記圧縮機を冷蔵庫本体の奥側上部に備えたものであってもよい。これにより、冷蔵庫下部機械室スペースが小さくなるので、冷蔵庫下部貯蔵室を奥行き方向に大きく取ることができる。それゆえ、同等の貯蔵室を有する冷蔵庫と比較して、最上部の冷蔵室間口を下に大きくすることができるため、さらに冷蔵室の収納性を向上することができる。
【００４５】
以下、本発明の好ましい実施の形態を、図面を参照しながら説明する。なお、以下では全ての図を通じて同一または相当する要素には同一の参照符号を付して、その重複する説明を省略する。なお、以下の各実施の形態によって本発明は限定されるものではない。
【００４６】
（実施の形態１）
図１は、本発明の実施の形態１に係る冷蔵庫１００Ａの正面図であり、図２は、図１に示す冷蔵庫１００ＡのＩ−Ｉ線矢視方向の断面を示す側面断面図である。図３は、解凍時間と被冷凍物の温度変化との関係を示すグラフである。
【００４７】
図１および図２に示すように、冷蔵庫１００Ａの本体である断熱箱体１０１は、主に鋼板を用いた外箱１０２と、ＡＢＳ等の樹脂で成型された内箱１０３と、外箱１０２と内箱１０３との間の空間に発泡充填される硬質発泡ウレタン等の発泡断熱材とで構成され、周囲と断熱され、仕切壁によって複数の貯蔵室に断熱区画されている。最上部に第一の貯蔵室としての冷蔵室１０４、その冷蔵室１０４の下部に第四の貯蔵室としての第二の冷凍室１０５と第五の貯蔵室としての製氷室１０６が横並びに設けられ、その第二の冷凍室１０５と製氷室１０６の下部に第二の貯蔵室としての第一の冷凍室１０７、そして最下部に第三の貯蔵室としての野菜室１０８が配置される構成となっている。
【００４８】
冷蔵室１０４は冷蔵保存のために凍らない温度である冷蔵温度帯に設定されており、通常１℃〜５℃とし、野菜室１０８は冷蔵室１０４と同等の冷蔵温度帯もしくは若干高い温度設定の野菜温度帯２℃〜７℃としている。第一の冷凍室１０７は冷凍温度帯に設定されており、冷凍保存のために通常−２２℃〜−１５℃で設定されているが、冷凍保存状態の向上のために、例えば−３０℃または−２５℃の低温で設定されることもある。
【００４９】
第二の冷凍室１０５は、第一の冷凍室１０７と同等の冷凍温度帯または若干高い温度設定−２０℃〜−１２℃の第一の収納区画である冷凍区画１０５ａと、０℃以上の冷蔵温度を保つことができる第二の収納区画である解凍区画１０５ｂとを備える。第二の冷凍室１０５は製氷室１０６に並設された独立扉を備えた貯蔵室であり、引き出し式の扉を備えることが多い。なお、この第二の冷凍室１０５は冷凍区画１０５ａおよび解凍区画１０５ｂに区画されているので、複数の貯蔵室のうちの区画貯蔵室に相当する。
【００５０】
製氷室１０６は、冷蔵室１０４内の貯水タンク（図示せず）から送られた水で室内上部に設けられた自動製氷機（図示せず）で氷を作り、室内下部に配置した貯氷容器（図示せず）に貯蔵する。
【００５１】
断熱箱体１０１の天面部は冷蔵庫１００Ａの背面方向に向かって階段状に凹みを設けた形状であり、この階段状の凹部に機械室１０１ａを形成して、機械室１０１ａに、圧縮機１０９、水分除去を行うドライヤ（図示せず）等の冷凍サイクルの高圧側構成部品が収容されている。すなわち、圧縮機１０９を配設する機械室１０１ａは、冷蔵室１０４内の最上部の後方領域に食い込んで形成されることになる。
【００５２】
このように、手が届きにくくデッドスペースとなっていた断熱箱体１０１の最上部の貯蔵室後方領域に機械室１０１ａを設けて圧縮機１０９を配置することにより、従来の冷蔵庫で、使用者が使いやすい断熱箱体１０１の最下部にあった機械室１０１ａのスペースを貯蔵室容量として有効に転化することができ、収納性または使い勝手を大きく改善することができる。
【００５３】
冷凍サイクルは、圧縮機１０９と凝縮器と減圧器であるキャピラリーと蒸発器である冷却器１１２とを順に備えた一連の冷媒流路から形成されており、冷媒として炭化水素系冷媒である例えばイソブタンが封入されている。
【００５４】
圧縮機１０９はピストンがシリンダ内を往復動することで冷媒の圧縮を行う往復動型圧縮機である。断熱箱体１０１に、三方弁または切替弁を用いる冷凍サイクルの場合は、それらの機能部品が機械室１０１ａ内に配設されている場合もある。
【００５５】
また、本実施の形態では冷凍サイクルを構成する減圧器をキャピラリーとしたが、パルスモーターで駆動する冷媒の流量を自由に制御できる電子膨張弁を用いてもよい。
【００５６】
なお、本実施の形態における、以下に述べる発明の要部に関する事項は、一般的な従来の冷蔵庫、具体的には、断熱箱体の最下部の貯蔵室後方領域に機械室を設けて圧縮機を配置するタイプのものに適用できることはいうまでもない。
【００５７】
第一の冷凍室１０７の背面には冷気を生成する冷却室１１０が設けられ、第二の冷凍室１０５および製氷室１０６、第一の冷凍室１０７と断熱区画するために構成された奥面仕切壁１１１が構成されている。冷却室１１０内には、冷却器１１２が配設されており、冷却器１１２の上部空間には強制対流方式により冷却器１１２で冷却した冷気を冷蔵室１０４、第二の冷凍室１０５、製氷室１０６、野菜室１０８、第一の冷凍室１０７に送風する冷却ファン１１３が配置される。
【００５８】
また、冷却器１１２の下部空間には冷却時に冷却器１１２およびその周辺に付着する霜または氷を除霜するためのガラス管製のラジアント加熱手段１１４が設けられ、さらにその下部には除霜時に生じる除霜水を受けるためのドレンパン１１５、その最深部から庫外に貫通したドレンチューブ１１６が構成され、その下流側の庫外に蒸発皿１１７が構成されている。
【００５９】
第二の冷凍室１０５には、第二の冷凍室１０５の引き出し扉１１８に取り付けられたフレーム１１９に奥側収納容器１２０と、前側収納容器１２１が載置されており、それぞれ冷凍区画１０５ａと解凍区画１０５ｂを形成する。前側収納容器１２１は引き出し扉１１８とフレーム１１９にネジ等により機械的に固定されている。
【００６０】
引き出し扉１１８が閉ざされた状態で前側収納容器１２１を略密閉するための前側収納容器用蓋体１２２が第二の冷凍室１０５上部の第一の仕切壁１２３保持されている。
【００６１】
前側収納容器１２１は非磁性の鉄板を用いた内側収納容器１２１ａと、断熱材を用いた外側収納容器１２１ｂとから構成され、内側収納容器１２１ａは外側収納容器１２１ｂにちょうど収まる大きさである。内側収納容器１２１ａは収納容器外側方向に略水平に伸びた上面フランジ１２１ｃを備え、外側収納容器１２１ｂの上面開口部に被さるように構成される。なお、外側収納容器１２１ｂ前面部は、引き出し扉１１８により一体に形成しても良い。
【００６２】
前側収納容器用蓋体１２２は非磁の鉄板を用いたベース１２２ａと枠体１２２ｂとから構成される。引き出し扉１１８が閉ざされた状態で前側収納容器用蓋体１２２と前側収納容器１２１の上面の左右辺、奥辺および前辺が略密接している。枠体１２２ｂはベース１２２ａに溶着され、電気的かつ機械的に接合して前側収納容器用蓋体１２２のフランジ部を形成し、上面フランジ１２１ｃと電磁波を遮断するチョーク構造を形成する。
【００６３】
前側収納容器用蓋体１２２の底面中央部に電磁波を照射するアンテナ１２４が固着され、断熱箱体１０１の背面上方、望ましくは冷蔵室１０４の背面に、電磁波発生装置１２５が設置され、アンテナ１２４と電磁波発生装置１２５とを同軸ケーブル１２６が電気的に接続し、前側収納容器１２１内に電磁波を照射することができる。また、同じく前側収納容器用蓋体１２２の底面には温度検知手段１２７が配置され、制御手段１２８と電気的に接続されている。さらにこの制御手段１２８は、電磁波発生装置１２５とも電気的に接続されている。
【００６４】
なお、電磁波発生手段は様々な方式が考えられる。例えば、Ｓｉ、ＧａＡｓ、ＳｉＣ、ＧａＮ等の半導体を用いたもの、あるいはマグネトロンを用いたものもある。また、電磁波発生装置１２５にマグネトロンを用いる場合は、アンテナ１２４ではなく、導波管を用いて前側収納容器１２１内に電磁波を給電しても良い。また、温度検知手段１２７には様々な方式が考えられるが、例えば、赤外線を検知できる赤外線センサ、または、温度による抵抗値の変化を利用したサーミスタ等を用いると良い。
【００６５】
また、前述した冷却ファン１１３または圧縮機１０９より構成される冷却システムは、制御手段１２８と電気的に接続されている。
【００６６】
奥面仕切壁１１１と冷却室１１０との間に冷却ファン１１３により送出された冷気を各貯蔵室へ搬送する搬送風路１２９が構成されている。第二の冷凍室１０５背面の奥面仕切壁１１１上部は、搬送風路１２９の冷気を第二の冷凍室１０５に導入するための第二の冷凍室用吐出口１１１ａを有する。第二の冷凍室用吐出口１１１ａは搬送風路１２９の上方に形成され、冷却ファン１１３から送出された冷気を直接吐出する。
【００６７】
なお、本実施の形態において、以下に説明する発明の要部に関する事項は、一般的な従来の冷蔵庫、具体的には、扉に取り付けられたフレームと内箱に設けられたレールとにより開閉するタイプのものにも適用できることはいうまでもない。
【００６８】
以上のように構成された本実施の形態の冷蔵庫１００Ａについて、以下その動作、作用を説明する。
【００６９】
まず、冷凍サイクルの動作について説明する。庫内の設定された温度に応じて制御手段１２８からの信号により冷凍サイクルが動作して冷却運転が行われる。圧縮機１０９の動作により吐出された高温高圧の冷媒は、凝縮器（図示せず）である程度凝縮液化し、さらに冷蔵庫１００Ａの本体である断熱箱体１０１の側面または背面、また断熱箱体１０１の前面間口に配設された冷媒配管（図示せず）等を経由し断熱箱体１０１の結露を防止しながら凝縮液化し、キャピラリーチューブ（図示せず）に至る。その後、キャピラリーチューブでは圧縮機１０９への吸入管（図示せず）と熱交換しながら減圧されて低温低圧の液冷媒となって冷却器１１２に至る。
【００７０】
ここで、低温低圧の液冷媒は、冷却ファン１１３の動作により搬送風路１２９を通り各貯蔵室内の空気と熱交換され、冷却器１１２内の冷媒は蒸発気化する。このとき、冷却室１１０内で各貯蔵室を冷却するための冷気を生成する。低温の冷気は冷却ファン１１３から冷蔵室１０４、第二の冷凍室１０５、製氷室１０６、野菜室１０８、第一の冷凍室１０７に冷気を風路またはダンパを用いて分流させ、それぞれの目的温度帯に冷却する。
【００７１】
このとき、解凍区画１０５ｂは、外側収納容器１２１ｂを隔てて第一の冷凍室１０７と冷凍区画１０５ａと製氷室１０６と、第一の仕切壁１２３を隔てて冷蔵室１０４と、引き出し扉１１８および断熱箱体１０１を隔てて外気と接している。解凍区画１０５ｂの大きさおよび形状に合わせて外側収納容器１２１ｂの厚みを決定することで、解凍区画１０５ｂの温度を０℃以上の冷蔵温度となるように設計することができる。
【００７２】
温度検知手段１２７が解凍区画１０５ｂに冷凍食品が投入されたことを検知すると制御手段１２８により、解凍開始の信号が発信され、電磁波発生装置１２５が動作し解凍を開始する。なお、冷蔵庫１００Ａ前面に使用者が操作できる操作ボタンを設置し、手動により解凍を開始しても良い。
【００７３】
何れの場合も、解凍機能を使用する場合、使用者は引き出し扉１１８を開け、奥側収納容器１２０に収容している冷凍食品を前側収納容器１２１へ移すだけでよく、複数の貯蔵室を開け食品を入れ替える必要がないため、使用の手間だけでなく、冷蔵庫１００Ａへの熱負荷も最小限に抑えることができる。
【００７４】
本実施の形態において、電磁波発生装置１２５の出力を２０Ｗとし、解凍区画１０５ｂの温度を５℃として解凍を行った。その結果、解凍時間は５０分要したが、解凍後の温度を２３箇所測定した結果、温度ムラは約３℃しかなかった。一方、電子レンジ等を想定して電磁波の出力を３００Ｗ程度に上げた場合では、解凍後の温度ムラは約２０℃程度あった。一方、一般的な解凍方法として、冷蔵庫内で解凍する場合では解凍ムラは約３℃であったが、解凍に約２０時間も要してしまう。
【００７５】
この結果、本実施の形態の冷凍装置は、解凍後の温度ムラを低減し、さらに解凍の時間を短縮することが可能となる。
【００７６】
本実施の形態では解凍に使用する電磁波の電力、つまり電磁波発生装置１２５の出力を２０Ｗで行ったがこれに限るものではなく、解凍に使用する電力は１００Ｗ以下、望ましくは５０Ｗ以下が温度ムラを低減できるため、望ましい。
【００７７】
さらに本実施の形態では温度ムラを低減できるので、冷凍食品を例えば−５℃〜−１０℃まで解凍して包丁等で必要な分だけカットし、残りを再凍結することが可能となる。
【００７８】
一般的に一度冷凍した食品を解凍し、さらに冷凍すると細胞が壊れ品質が劣化すると言われている。これは、解凍時に最大氷結晶生成帯（−１℃〜−５℃）を通過する際も氷結晶が成長し、細胞破壊を引き起こすからである。このため、解凍させてから凍結させる再凍結を行うにはこの最大氷結晶生成帯を通過する時間を短くする必要がある。
【００７９】
図３に、解凍時間と冷凍食品の温度変化を示す。冷凍食品の温度としては、中央部と右端、左端の三箇所を測定している。また、解凍に用いた電磁波発生装置１２５の出力は１０Ｗとし、解凍区画１０５ｂの庫内温度を５℃とした。図３に示すように、包丁で小分けが可能な−１０℃付近においても中央部と端部との温度差は２℃程度であり、最も高い温度でも−８℃であった。つまり、最大氷結晶生成帯を通過することなく解凍することが可能となるため、再凍結を実現することができる。解凍した冷凍食品が魚の切り身またはスライス肉である場合は、使用者は素手で必要な分量を分け取ることができるので、引き出し扉１１８を一度開けるだけで、解凍した食材を必要な分量だけ取り出し、残りを奥側収納容器１２０へ移すことで、手間なく不要分の再冷凍を行うことができる。
【００８０】
また、温度検知手段１２７が解凍終了を検知すると、自動的に制御手段１２８より解凍終了の信号を発信し、電磁波発生装置１２５の出力を停止することができるため、使用者は過熱の心配をする必要がない。なお、冷蔵庫１００Ａにブザー（または他の音声）あるいは光等による報知手段を設け、使用者に解凍終了を知らせることで、解凍後の取り出し忘れを防止することができる。
【００８１】
万が一、解凍後の食品の取り出しを忘れた場合も、本実施の形態では、解凍区画１０５ｂは冷蔵温度帯であるため、解凍後の冷凍食品を放置しても食品が傷むのを抑制することができる。
【００８２】
また、本実施の形態において、第二の冷凍室１０５は引き出し扉１１８付近に０℃以上の冷蔵温度帯が存在するため、第二の冷凍室１０５全体が冷凍温度帯で構成された状態に比べ、引き出し扉１１８または断熱箱体１０１を介して行われる外気との熱交換量が小さくなる。したがって、解凍区画１０５ｂを設けることで冷蔵庫１００Ａの省エネ性を向上させることができる。また、解凍区画１０５ｂの冷蔵温度の維持は各種の加熱手段を利用せず実現することが可能であり、冷凍温度帯まで冷やすエネルギーも必要としないため、第二の冷凍室１０５全体が冷凍温度帯で構成された状態に比べて必要電力が小さくて済む。
【００８３】
電磁波発生装置１２５は電磁波を発生する際に発熱を伴うが、本実施の形態において、電磁波発生装置１２５は冷蔵室１０４の背面に設置されているため、隣接する庫内温度を最小に抑えることができるため、省エネ性を著しく低下させることはない。
【００８４】
なお、本実施の形態では電磁波発生装置１２５を断熱箱体１０１の背面に設置したが、断熱箱体１０１の外側、例えば、機械室１０１ａ内または断熱箱体１０１の天面に設置しても、同様の効果が得られる。また、電磁波発生装置１２５が低出力であり、表面温度上昇幅が小さい場合は、貯蔵室内に設置しても、省エネ性を著しく低下させることはない。
【００８５】
以上のように、本実施の形態においては、第二の冷凍室１０５内に冷凍温度帯で維持される冷凍区画１０５ａと、冷蔵温度帯に維持される解凍区画１０５ｂとを有することにより、引き出し扉１１８を一度開け、冷凍区画１０５ａから解凍区画１０５ｂへ冷凍食品を移動させるだけで、冷凍庫内において解凍を行うことができるため、使用者の手間を最小限に抑えることができる。再冷凍を行う際も、同様にして同一貯蔵室内で食品を移動させるだけで実現することができる。また、目的食品以外にも冷凍食品が第二の冷凍室１０５内に保存されていた場合も、同一貯蔵室内に冷凍区画１０５ａが存在するため、貯蔵室から取り出す必要がなく、使い勝手が格段に向上する。
【００８６】
また、解凍区画１０５ｂの冷蔵温度帯の維持には各種の加熱手段を必要とせず、冷凍温度帯まで冷やすエネルギーも必要としないため、省エネ性が向上する。さらに、解凍区画１０５ｂは冷蔵温度帯であるため、第二の冷凍室１０５の手前に配置することで、外気との熱交換を抑制することができ、省エネ性が向上する。
【００８７】
また、電磁波発生装置１２５を備え解凍区画１０５ｂ内の食品に電磁波を照射することにより、解凍後の温度ムラを低減し、さらに解凍の時間を短縮することが可能となるため、さらに使用者の使い勝手を向上することができる。
【００８８】
また、温度ムラを小さくすることができることにより、再冷凍が可能な−１０℃付近までの解凍を行うことができるため、必要な分量だけ取り分け残りを再冷凍できる。使用者は予め小分けして冷凍する等の手間を必要としないので、使い勝手が向上する。
【００８９】
（実施の形態２）
図４は、本発明の実施の形態２に係る冷蔵庫１００Ｂの側面断面図であり、図５は、図４に示す冷蔵庫１００Ｂにおける第二の冷凍室２０５の引き出し扉１１８およびフレーム１１９、並びに、奥側収納容器２２０および前側収納容器２２１の組立斜視図である。
【００９０】
なお、実施の形態１と同様の構成および同様の技術思想が適用できる部分については、説明を省略するが、実施の形態１の構成に本実施の形態を組み合わせて実施することで不具合がない限り組み合わせて適用することが可能である。
【００９１】
本実施の形態において、第二の冷凍室２０５は、第一の冷凍室１０７と同等の冷凍温度帯または若干高い温度設定−２０℃〜−１２℃の第一の収納区画である冷凍区画２０５ａと、−１０℃〜−５℃の冷凍温度を保つことができる第二の収納区画である調理区画２０５ｂとを備える。なお、この第二の冷凍室２０５は冷凍区画２０５ａおよび調理区画２０５ｂに区画されているので、複数の貯蔵室のうちの区画貯蔵室に相当する。
【００９２】
図４および図５に示すように、第二の冷凍室２０５には、第二の冷凍室２０５の引き出し扉１１８に取り付けられたフレーム１１９に奥側収納容器２２０と、前側収納容器２２１が載置されており、それぞれ冷凍区画２０５ａと調理区画２０５ｂを形成する。前側収納容器２２１は引き出し扉１１８とフレーム１１９にネジ等により機械的に固定されている。
【００９３】
奥側収納容器２２０はポリプロピレン等の樹脂により形成され、手前側の面にスリット２２０ａを有する。奥面の高さは背面に備えられた第二の冷凍室用吐出口１１１ａよりも低くなるよう形成されている。
【００９４】
前側収納容器２２１は非磁性の鉄板により形成され、収納容器外側方向に略水平に伸びた上面フランジ２２１ｃを備え、前側収納容器用蓋体１２２のフランジ部と電磁波を遮断するチョーク構造を形成する。
【００９５】
以上のように構成された本実施の形態の冷蔵庫１００Ｂについて、以下その動作、作用を説明する。
【００９６】
第二の冷凍室用吐出口１１１ａより吐出された冷気は奥側収納容器２２０内に流れ、冷凍区画２０５ａを冷却する。その後、奥側収納容器２２０前面に開けられたスリット２２０ａを通り、前側収納容器２２１にぶつかる。前側収納容器２２１は鉄板部品で構成されているため、容器全体が冷却され、調理区画２０５ｂを冷却することができる。しかし、冷気は直接、調理区画２０５ｂには導入されず、引き出し扉１１８を介して外気と熱交換が行われることから、調理区画２０５ｂ内は、冷凍区画２０５ａよりも高い温度、例えば、−１０℃〜−７℃程度の温度を維持することができる。調理区画２０５ｂの温度は、第二の冷凍室用吐出口１１１ａから吐出される冷気の風量または温度、前側収納容器２２１の大きさまたは形、スリット２２０ａの大きさ、あるいは、第二の冷凍室用吐出口１１１ａと前側収納容器２２１との距離等を調整することにより、任意の温度に設計することができる。
【００９７】
本実施の形態において、電磁波発生装置１２５の出力を３Ｗとし、調理区画２０５ｂの温度を−１０℃として調理を行った。前側収納容器２２１に、比較的高温である約１５℃程度の食品を収納するとする。調理区画２０５ｂ内は−７℃であるため、収納された食品は周囲から熱を奪われ、徐々に温度が低下していく。この食品の温度は、温度検知手段１２７によって検知され、５℃まで低下したところで、制御手段１２８から電磁波発生装置１２５に信号が送られ、電磁波を発生させる。この電磁波の周波数は２．５４ＧＨｚである。この電磁波は、電気的に接続された同軸ケーブル１２６によりアンテナ１２４に送られ、アンテナ１２４から食品に対して照射される。このとき、食品に印加される電力は約３Ｗであり、雰囲気が食品を冷却するエネルギーよりも十分に小さく、電磁波を照射することで食品が温度上昇することはない。なお、電磁波の周波数を２．５４ＧＨｚであるとしたが、本実施の形態での効果はこの周波数に限定されるものではなく、例えば、３００ＭＨｚ以上３ＴＨｚ以下であれば良い。
【００９８】
ここで、食品は、ジュースまたはヨーグルト等の内部に水分を含んだ食品であるとする。電磁波を加熱しない場合は、食品は、その表面から中心部に向かって徐々に凍結していくことになる。一方、電磁波を照射した食品は、水の凍結点である０℃を過ぎても凍結しない過冷却状態となる。ここで、過冷却状態とは、凍結点以下の温度に冷却された時に、熱力学的に安定な結晶が現れずに、不安定な液体状態で保持されている状態を言う。
【００９９】
過冷却状態になった食品が、ある一定の温度、例えば−６℃になったことを温度検知手段１２７が検知すると、制御手段１２８からの信号により、電磁波発生装置１２５の運転を止めたり、あるいは、出力を可変させたりする。このようにして、食品に対して、外部からある種の外乱を加えると過冷却状態が解除される。過冷却空間のどこか１箇所で過冷却が解除された場合には、その影響はほとんど瞬間的に過冷却空間全体に伝播するため、進行速度の極めて速い凍結が食品内部で生じる。その結果、最大氷結晶生成帯（−１〜−５℃）を急速に通過することができ、高品位な冷凍を実現することができる。この作用は、通常の急速凍結手法（極低温冷気利用等）で得られる冷凍品質と同様の結果を得るものであり、急速凍結を実質的に実現したものであると言える。その結果、食品全体が小さい氷結晶のまま凍結するため、ジュースまたはヨーグルトを滑らかな口当たりのシャーベットに加工する等、微細な氷結晶ならではの調理を行うことができる。
【０１００】
なお、冷蔵庫１００Ｂにブザーまたは光等による報知手段を設け、使用者に過冷却終了を知らせ、使用者が食品を冷凍区画２０５ａへ移すことで、過冷却解除後の食品をより低い温度にて急速に冷凍を行うことができる。その結果、過冷却解除直後の氷結晶が未凍結部分の水によって成長するのを抑制することができるため、さらに氷結晶の小さい高品位な凍結を実現することができる。本実施の形態では、調理区画２０５ｂと冷凍区画２０５ａが同一貯蔵室内に存在するため、冷凍区画２０５ａへの移動の手間も最小限で抑えることができるので、少ない手間で高品位の冷凍を実現することができる。さらに、−２０℃で保存することで、より長期間安全に保存することが可能となる。
【０１０１】
また、過冷却状態を維持するためには、電磁波の照射に加えて、調理区画２０５ｂ内部を比較的温度変化の少ない安定状態に維持する必要があり、前側収納容器２２１と前側収納容器用蓋体１２２が金属で構成されていることは、温度分布のばらつきを抑制し、運転中の温度変化幅を少なくすることに寄与している。
【０１０２】
上記過冷却工程を用いた凍結方法は、新メニューに限るものではなく、通常の冷凍の代わりに用いても、食品を高品質に保持する上で大変有効である。電磁波を印加し約−６℃まで過冷却状態を保持したマグロと、電磁波印加せず−２．２℃で凍結したマグロを急速冷凍させた後、−２０℃雰囲気下で３日間凍結保存し、約１．５℃の冷蔵庫で１日かけて解凍した。そのときのドリップ量を測定したところ、電磁波を印加せず過冷却が発現しなかったものは、約１．４３ｇのドリップ量であったのに対し、電磁波を印加し、過冷却を経て凍結させたものは、約０．２６ｇのドリップ量であり、大幅にドリップ量を抑えることが可能になったことが確かめられた。
【０１０３】
また、調理区画２０５ｂの庫内温度は−１０℃〜−５℃であることから、実施の形態１と同様にして再冷凍可能な解凍を行うことができる。
【０１０４】
以上のように、本実施の形態においては、第二の冷凍室２０５内に冷凍温度帯で維持される冷凍区画２０５ａと、−１０℃〜−５度の温度帯に維持される調理区画２０５ｂとを有することにより、従来の冷凍室にはできない高品位な冷凍を可能にすることで、新メニューまたは品質劣化の少ない冷凍食品を提供することができる。また、冷凍区画２０５ａと調理区画２０５ｂとは同一貯蔵室内にあるため、同一貯蔵室内で食品を移動させるという最小限の手間で、さらに冷凍品質を向上させることができると同時に、長期間安全に保存することが可能となるため、使用者の使い勝手を格段に向上させることができる。
【０１０５】
（実施の形態３）
図６は、本発明の実施の形態３に係る冷蔵庫１００Ｃの側面断面図である。
【０１０６】
なお、実施の形態１と同様の構成および同様の技術思想が適用できる部分については、説明を省略するが、実施の形態１の構成に本実施の形態を組み合わせて実施することで不具合がない限り組み合わせて適用することが可能である。
【０１０７】
本実施の形態において、冷蔵庫１００Ｃにおける第一の冷凍室３０７は冷凍温度帯に設定されており、冷凍保存のために通常−２２℃〜−１５℃で設定されているが、冷凍保存状態の向上のために、例えば−３０℃または−２５℃の低温で設定されることもある第一の収納区画である冷凍区画３０７ａと、０℃以上の冷蔵温度に維持され４０℃以上の温度に昇温可能な第二の収納区画である調理区画３０７ｂとを備える。なお、この第一の冷凍室３０７は冷凍区画３０７ａおよび調理区画３０７ｂに区画されているので、複数の貯蔵室のうちの区画貯蔵室に相当する。
【０１０８】
調理区画３０７ｂは、図６に示すように、第一の冷凍室３０７の天面を形成する第二の仕切り壁３２３の奥側に備えられた、前面開口部を有する収納箱３２１により、冷凍区画３０７ａと区画されている。収納箱３２１は、非磁性の鉄板を用いた内側収納箱３２１ａと、断熱材を用いた外側収納箱３２１ｂとから構成されている。なお、外側収納箱３２１ｂは第二の仕切壁３２３と一体により形成しても良い。
【０１０９】
調理区画３０７ｂは、引き出しケース３２２を備える。引き出しケース３２２はポリスチレン等の樹脂により形成された収容ケース３２２ａと、非磁性の鉄板により形成されたケース扉３２２ｂにより構成される。ケース扉３２２ｂは、ちょうど内側収納箱３２１ａ内に収まる形状をしており、ケース扉３２２ｂのフランジ部と内側収納箱３２１ａとにより電磁波を遮断するチョーク構造を構成する。
【０１１０】
内側収納箱３２１ａの内側天面には、電磁波を照射するアンテナ１２４が固着され、アンテナ１２４は同軸ケーブル１２６を介して電磁波発生装置１２５と電気的に接続しており、調理区画３０７ｂに電磁波を照射することができる。また、内側収納箱３２１ａの内側天面には温度検知手段１２７が配置され、制御手段１２８と電気的に接続されている。
【０１１１】
内側収納箱３２１ａの外側底面には、加熱手段３３０が固着され、内側収納箱３２１ａを加熱することで、調理区画３０７ｂの庫内温度を調節することができる。加熱手段３３０は、制御手段１２８と電気的に接続している。
【０１１２】
第一の冷凍室３０７には、第一の冷凍室３０７の引き出し扉３１８に取り付けられたフレーム（図示せず）に載置された下段収納容器３３１と、下段収納容器３３１に載置された上段収納容器３３２が配置されている。
【０１１３】
引き出し扉３１８が閉ざされた状態で上段収納容器３３２は引き出しケース３２２と略密接しており、引き出しケース３２２が確実に収納箱３２１に収まるようにアシストする。また、引き出し扉３１８が開かれた状態で、取り出された引き出しケース３２２は上段収納容器３３２に載置することが可能な形状である。
【０１１４】
冷蔵庫１００Ｃの前面には、使用者が内部の温度、冷蔵庫１００Ｃの各種機能等を設定するボタンと、その設定内容を表示する表示部からなる操作部３３３を有する。なお、本実施の形態では、操作部３３３は冷蔵庫１００Ｃ前面に設置したが、断熱箱体１０１の上部前面または冷蔵室１０４の内壁に設置することも可能である。
【０１１５】
以上のように構成された本実施の形態の冷蔵庫１００Ｃについて、以下その動作、作用を説明する。
【０１１６】
調理区画３０７ｂは断熱材を用いた外側収納箱３２１ｂにより囲まれているため、実施の形態１の解凍区画１０５ｂと同様にして庫内温度を０℃以上に保つことが可能であり、加熱手段３３０を備えるため、熱交換だけでは得られない外気温以上の温度に昇温することも可能である。加熱手段３３０を通電する際は冷凍区画３０７ａへ吐出する冷気の温度を下げるか風量を上げるなどして、冷凍区画３０７ａの温度が上昇しないように工夫する必要がある。
【０１１７】
使用者が冷凍食品を引き出しケース３２２に載置し、操作部３３３を操作し解凍を開始した場合、電磁波発生装置１２５のみが作動し解凍を行う。このとき、実施の形態１と同様にして、高品質の解凍を行うことができる。
【０１１８】
さらに本実施の形態では、加熱手段３３０を設けて、調理区画３０７ｂを加熱することで、効率よく解凍を行うことができる。加熱手段３３０によって第一の冷凍室３０７内の温度を１０℃に上げることで、解凍時間を３０分に低減することが可能となった。また、解凍後の温度ムラも３℃以下に抑えることが可能となった。
【０１１９】
高い電力で解凍すると、冷凍食品温度はムラになりやすいが低い電力でゆっくり解凍すると、電磁波の集中等が抑制され、温度ムラのない高品位な解凍を実現することが可能となる。また、低い電力では解凍に時間を要する恐れがあるが、加熱手段３３０によって電磁波発生装置１２５と一緒に動作させることによって、効率よい解凍を実現でき、解凍時間を低減することが可能となる。
【０１２０】
使用者が食品を引き出しケース３２２に載置し、操作部３３３により加熱調理を開始した場合、電磁波発生装置１２５および加熱手段３３０を作動し、食品の加熱を行う。このとき、電磁波は食品の内部から加熱する作用があるため、加熱手段３３０と併用することで、食品の内外から加熱できるため、高速に内外温度差の小さな高品質加熱を行うことができる。また、食品が冷凍温度の場合は、解凍を行った後に加熱を行うことで、より高品質の加熱を行うことができる。
【０１２１】
加熱調理終了後は、電磁波発生装置１２５を停止し、加熱手段３３０のみにより庫内を一定温度に保つことで、食品の保温が可能である。なお、温度検知手段１２７が加熱終了を検知すると、操作部３３３よりブザーまたは光により使用者への報知を行うことも可能である。
【０１２２】
万が一、解凍または加熱調理終了後、食品の取出しが行われなかった場合も、本実施の形態において、調理区画３０７ｂは冷蔵温度に維持することが可能であるため、一定時間経過後に加熱手段３３０を停止することで、食品を傷めることなく保存することが可能である。
【０１２３】
また、冷蔵温度帯から４０℃以上の加熱温度帯まで変化させることが可能であるため、例えば、牛乳からヨーグルトを作り、そのまま冷蔵温度まで冷やすことが可能となるため、加熱調理後に冷蔵保存したいもの、あるいは、冷やして食べると美味しいものを手間なく仕上げることができる。
【０１２４】
本実施の形態では、上記の操作がすべて第一の冷凍室３０７の一部でできる。そのため、冷凍食品を加熱調理したい場合、貯蔵室内で食品を移動させるだけで、温かい状態で食卓に並べることができる。また、温かいものの一部だけを食べ、残りを冷凍保存したい場合も、調理区画３０７ｂから冷凍区画３０７ａに移すだけでよく、使用者の手間を最小限に抑えることができる。
【０１２５】
また、冷凍区画３０７ａは調理区画３０７ｂ内の温度に関係なく冷凍温度を保つことができるため、調理区画３０７ｂ内で熱い食品の粗熱を取り除くことができる。このとき、調理区画３０７ｂは冷蔵温度を維持することができるため、室温に放置するよりも所要時間を小さくすることができる。また、冷蔵庫１００Ｃに投入し忘れることもなく、食品が傷むのを防止することができる。さらに粗熱をとった後に冷凍保存したい場合も、冷凍区画３０７ａに移すだけなので、特別な手間を必要としない。必要ならば、温度検知手段１２７により粗熱取り完了を検知し、操作部３３３によって報知することも可能である。
【０１２６】
また、調理区画３０７ｂは第一の冷凍室３０７の一部であり、貯蔵室全体を調理室とするときに比べて昇温に必要とするエネルギーが小さくて済む。
【０１２７】
以上のように、本実施の形態においては、第一の冷凍室３０７内に冷凍温度帯で維持される冷凍区画３０７ａと、０℃以上の冷蔵温度帯に維持され、４０℃以上の温度に昇温可能な調理区画３０７ｂとを有することにより、使用者が面倒な操作をせず、食品を高品質で解凍および加熱することができ、またそれを保温、冷蔵保存、または冷凍保存する際の使用者の手間も最小限に抑えることができる。
【０１２８】
また、貯蔵室の一部のみを昇温することが可能であるため、昇温に必要なエネルギーも小さく抑えることができる。
【０１２９】
（実施の形態４）
図７は、本発明の実施の形態４に係る冷蔵庫１００Ｄの側面断面図であり、図８は、図７に示す冷蔵庫１００Ｄが備える金属箱体３３４の構成例を示す要部断面図である。また、図９は、金属箱体３３４の組立状態の一例を示す側面図であり、図１０は、金属箱体３３４の組立状態の他の例を示す側面図である。
【０１３０】
図７および図８に示すように、第二の冷凍室１０５内部には、金属箱体３３４が設けられている。この金属箱体３３４の手前側開口部には、引き出し扉１１８に設けられた金属箱体用蓋体３３５により閉塞され、金属箱体３３４内の空間を略密閉に保っている。このとき、金属箱体用蓋体３３５は少なくともその内側が金属で構成され、その結果、金属箱体３３４内の空間は、電磁的にも密閉の空間として成立している。
【０１３１】
金属箱体３３４内には、解凍用ケース３３６が配置され、被解凍物３３７が載置される。また、金属箱体３３４の天面手前側にはアンテナ１２４と、温度検知手段１２７が設けられている。このアンテナ１２４よりも後方で、金属箱体３３４の前後方向略中央部には、電波伝送抑制部３３８がある。この電波伝送抑制部３３８は、概ね金属箱体３３４の全周に亘って設けられており、金属箱体３３４の内壁面からの距離Ｌは、アンテナ１２４から照射される電磁波の波長の１／４に設定されている。また、電波伝送抑制部３３８はアンテナ１２４よりも後方に位置し、被解凍物３３７は、アンテナ１２４の直下近傍、つまり、電波伝送抑制部３３８よりも前方に載置されることになる。以降、説明の簡略化のため、電波伝送抑制部３３８よりも前方を領域ａ、後方を領域ｂと呼ぶこととする。
【０１３２】
以上のように構成された冷蔵庫１００Ｄについて、以下その動作、作用を説明する。
【０１３３】
まず、冷蔵庫１００Ｄの運転により、第二の冷凍室１０５内部は冷凍雰囲気下、例えば−１８℃に温度調整されているとする。
【０１３４】
使用者が被解凍物３３７を解凍用ケース３３６内に入れ、引き出し扉１１８を閉め、何らかの操作、例えば冷蔵庫１００Ｄの前面に設けられた解凍ボタンの押下等を行うと、アンテナ１２４から電磁波が照射され、被解凍物３３７の解凍が開始される。
【０１３５】
このとき、アンテナ１２４から放射される電磁は領域ａ（図８の斜線のハッチング領域）を通過し、一部は電波伝送抑制部３３８内に入り、一部は領域ｂ（図８の点線のハッチング領域）に到達する。電波伝送抑制部３３８内に入った電磁波は、終端で反射し、反射した電磁波の一部がさらに領域ｂに入る。このとき、電波伝送抑制部３３８の高さは、アンテナ１２４から放射される電磁波波長の１／４に設定されているため、位相が１８０℃ずれる。したがって、アンテナ１２４から領域ｂ内に直接放射される電磁波と、電波伝送抑制部３３８から反射して領域ｂに入る電磁波は逆相となり、打ち消しあう。よって、実質的に領域ｂ内には電磁波が照射されないことになる。
【０１３６】
その後、温度検知手段１２７が、解凍終了温度として決められている温度に被解凍物３３７が到達したことを検知すると、解凍を自動的に終了させ、ブザーまたは光等の手段で使用者に報知する。
【０１３７】
以上のような作用により、解凍中に領域ａに置かれた被解凍物３３７は昇温、解凍されるが、領域ｂに置かれた他の冷凍保存食品は昇温することがない。これにより、解凍時にすでに保存されている冷凍保存食品を取り出したりする手間を省き、解凍用ケース３３６内の後方に少し寄せるだけで解凍領域を確保することができ、使い勝手の良い解凍機能を実現させることができる。
【０１３８】
また、電波伝送抑制部３３８を金属箱体３３４の略中央部に設けたことにより、領域ａと領域ｂのそれぞれを適度な大きさで確保し、例えば市販されているパック入りの肉等を問題なく解凍することができるものである。
【０１３９】
金属箱体３３４の具体的な構成は特に限定されない。例えば、図９に示すように、金属箱体３３４は、電波伝送抑制部３３８の部分で前後に２分割された、金属箱体前方部３３４ａと、金属箱体後方部３３４ｂにて構成される。この金属箱体前方部３３４ａと金属箱体後方部３３４ｂは、スポット溶接またはカシメ等の手段で一体に組み立てられる。あるいは、図１０に示すように、金属箱体３３４は、上下に２分割された金属箱体上方部３３４ｃと、金属箱体下方部３３４ｄにて構成される。この金属箱体上方部３３４ｃと金属箱体下方部３３４ｄは、スポット溶接またはカシメ等の手段で一体に組み立てられる。もちろん金属箱体３３４の構成は、図９または図１０に示す構成に限定されず、他の構成であってもよい。
【０１４０】
（実施の形態５）
図１１は、本発明の実施の形態７に係る冷蔵庫１００Ｅの正面図であり、図１２は、図１１中のＢ−Ｂ断面を示す側面断面図である。
【０１４１】
冷蔵庫１００Ｅの基本的な構成は、前記実施の形態１の冷蔵庫１００Ａと同様であるので、その説明は省略するが、図１１に示す冷蔵庫１００Ｅでは、各貯蔵室のうち冷蔵室１０４に回転式の冷蔵室扉１０４ａが設けられ、第二の冷凍室１０５、製氷室１０６、第一の冷凍室１０７、野菜室１０８には、それぞれレール（図示せず）等で構成された引き出し扉１０５ｃ、１０６ａ、１０７ａ、および１０８ａが設けられている。
【０１４２】
また、引出し扉が設けられたそれぞれの貯蔵室には、レール（図示せず）等に載置された各貯蔵室用ケースが設けられている。具体的には、第二の冷凍室１０５には冷凍室ケース１０５ｄが、製氷室１０６には貯氷ケース１０６ｂが、第一の冷凍室１０７には冷凍室上段ケース１０７ｂおよび冷凍室下段ケース１０７ｃが、野菜室１０８には野菜室上段ケース１０８ｂおよび野菜室下段ケース１０８ｃが配置されている。
【０１４３】
冷蔵室１０４は冷蔵保存のために凍らない温度である冷蔵温度帯、通常１℃〜５℃に設定される第一の収納区画１０４ｂと、冷蔵温度帯より低い温度帯として例えば凍結温度より低い約−１０℃の凍結温度に設定することのできる第二の収納区画１０４ｃとを備える。なお、この冷蔵室１０４は第一の収納区画１０４ｂおよび第二の収納区画１０４ｃに区画されているので、複数の貯蔵室のうちの区画貯蔵室に相当する。
【０１４４】
第二の収納区画１０４ｃは、冷蔵室１０４内の最下段に設けられた庫内断熱箱体１３１にて構成され、被冷却物１３３を冷凍、解凍、保存する空間として設けられている。庫内断熱箱体１３１は前面開口部とそれを閉塞する断熱扉１３４が設けられており、パッキン１３５によって断熱扉１３４と庫内断熱箱体１３１の間を空気的に遮断し、第二の収納区画１０４ｃを密閉状態に保っている。
【０１４５】
なお、庫内断熱箱体１３１の底面は、冷蔵室１０４と第一の冷凍室１０７および製氷室１０６とを断熱する第一の仕切壁１２３と、庫内断熱箱体１３１の背面は、冷蔵室背面部材１３６と、庫内断熱箱体１３１の左面は断熱箱体１０１左面と一体に構成してもよい。なお、野菜室１０８、第一の冷凍室１０７、第二の冷凍室１０５、製氷室１０６の構成は前記実施の形態１で説明した通りである。
【０１４６】
冷蔵室背面部材１３６と断熱箱体１０１との間には、冷却ファン１１３により送出された冷気を冷蔵室１０４へ搬送する搬送風路１３７が構成されている。庫内断熱箱体１３１の背面上部には、搬送風路１３７の冷気を第二の収納区画１０４ｃに導入するための第二の収納区画１０４ｃ用の吐出口１３１ａが設けられ、庫内断熱箱体１３１の天面奥部には、第一の収納区画１０４ｂより冷気を導入する通気口１３１ｂが設けられている。吐出口１３１ａおよび通気口１３１ｂはダンパ１３２によって開閉自在に構成されている。庫内断熱箱体１３１の背面下部には、第二の収納区画１０４ｃを冷却した冷気が吸い込まれる吸込口１３１ｃが設けられている。吸い込まれた冷気は、再び冷却器１１２で熱交換され、冷たい冷気となって循環を繰り返す。これによって第二の収納区画１０４ｃの冷却が行われる。
【０１４７】
なお、本実施の形態において、ダンパ１３２は開口部を選択することができるシングルダンパとしたがダンパ１３２をツインダンパとし、吐出口１３１ａと通気口１３１ｂとの開閉を別々に制御できるようにすることで、第二の収納区画１０４ｃの温度をより繊細に制御することができる。
【０１４８】
また、冷凍サイクルには様々な方式が考えられる。例えば、圧縮機を用いる蒸気圧縮式冷凍システム、吸収式冷凍システム、ペルチェ式冷凍システム、あるいはそれらの組み合わせ等を用いることができる。
【０１４９】
庫内断熱箱体１３１で構成される第二の収納区画１０４ｃの内部には、さらに内部箱体１３８が配置されている。この内部箱体１３８は、断熱扉１３４に面する壁に開放状態である（開口部である）開放部１３８ａを有しており、かつ、他面は略閉塞されるよう形成されている。一方、断熱扉１３４には内部箱体用蓋体１３９が取り付けられている。この内部箱体用蓋体１３９は、断熱扉１３４が閉状態では、内部箱体１３８の開放部１３８ａにその一部が入り込み、内部箱体１３８を略密閉し、独立収納区画１４０を形成している。本実施の形態では、内部箱体１３８と内部箱体用蓋体１３９とは、ステンレス、アルミニウムまたはその合金、鋼板等の金属材で構成されている。したがって、独立収納区画１４０の内壁面は金属で覆われていることになる。なお、内部箱体１３８と内部箱体用蓋体１３９とは必ずしもその全てを金属で構成する必要はなく、例えば独立収納区画１４０の内壁面だけでも良い。具体的な方法としては、内壁に金属板を貼り付けたり、蒸着工法等で金属皮膜を形成したりしても良い。
【０１５０】
第二の収納区画１０４ｃ内の内部箱体１３８内には、被冷却物１３３を載置して収納する引き出しケース１４１が設けられており、断熱扉１３４を開くことにより引き出しケース１４１を手前方向に引き出し、被冷却物１３３の出し入れを可能にしている。なお、断熱扉１３４の開放動作としては様々なものが考えられ、断熱扉１３４の上下辺のいずれかを軸にして回転させても良く、また、断熱扉１３４の左右辺を軸にして回転させても良い。さらには、スライドレール等を用いて断熱扉１３４を手前方向に水平移動させても良い。また、引き出しケース１４１は、断熱扉１３４の動作に連動してもしなくてもどちらでも良く、本実施の形態における効果に変わりはない。
【０１５１】
内部箱体１３８の天面にはアンテナ１２４が配置され、電磁波発生装置１２５および同軸ケーブル等により電気的に接続されている。また、同じく内部箱体１３８の天面には温度検知手段１２７が配置され、制御手段１２８と電気的に接続されている。さらにこの制御手段１２８は、電磁波発生装置１２５とも電気的に接続されている。電磁波発生装置１２５は、半導体素子を用いて構成された電磁波波発振器（図示せず）と、電磁波発振器の出力信号を増幅する、半導体素子を用いて構成された電磁波増幅器（図示せず）とで構成される。電磁波増幅器の半導体素子には、ＧａＮ材料を利用した電界効果トランジスタが用いられる。
【０１５２】
なお、電磁波増幅器はＧａＮ材料の他に、Ｓｉ、ＧａＡｓ、ＳｉＣ等その他の半導体素子を用いてもよい。また、アンテナ１２４、温度検知手段１２７は、必ずしも内部箱体１３８の天面にある必要はなく、背面、側面、または底面にあっても良い。また、温度検知手段１２７には様々な方式が考えられるが、例えば、赤外線を検知できる赤外線センサ、あるいは、温度による抵抗値の変化を利用したサーミスタ等を用いると良い。
【０１５３】
また、前述した圧縮機１０９、冷却ファン１１３、ラジアント加熱手段１１４、ダンパ１３２は、制御手段１２８と電気的に接続されている。
【０１５４】
以上のように構成された本実施の形態の冷蔵庫１００Ｅについて、以下その動作、作用を説明する。
【０１５５】
まず、冷凍サイクルの動作について説明する。庫内の設定された温度に応じて制御手段１２８からの信号により冷凍サイクルが動作して冷却運転が行われる。圧縮機１０９の動作により吐出された高温高圧の冷媒は、凝縮器（図示せず）である程度凝縮液化し、さらに冷蔵庫１００Ｅの本体である断熱箱体１０１の側面または背面、あるいは断熱箱体１０１の前面間口に配設された冷媒配管（図示せず）等を経由し断熱箱体１０１の結露を防止しながら凝縮液化し、キャピラリーチューブ（図示せず）に至る。その後、キャピラリーチューブでは圧縮機１０９への吸入管（図示せず）と熱交換しながら減圧されて低温低圧の液冷媒となって冷却器１１２に至る。
【０１５６】
ここで、低温低圧の液冷媒は、冷却ファン１１３の動作により各貯蔵室内の空気と熱交換され、冷却器１１２内の冷媒は蒸発気化する。このとき、冷却室１１０内で各貯蔵室を冷却するための冷気を生成する。低温の冷気は冷却ファン１１３から冷蔵室１０４、第二の冷凍室１０５、製氷室１０６、第一の冷凍室１０７、野菜室１０８に冷気を風路またはダンパ１３２を用いて分流させ、それぞれの目的温度帯に冷却する。
【０１５７】
次に、第二の収納区画１０４ｃにおいて、冷凍および保存を行う際の冷却について説明する。冷却室１１０内に配置された冷却器１１２は、冷凍サイクルによって、−４０℃〜−２０℃程度に冷却される。これによって冷却室１１０内の空気が冷却され、冷却ファン１１３によって吐出口１３１ａを通り第二の収納区画１０４ｃ内に送出される。このとき、ダンパ１３２は第二の収納区画１０４ｃ内を設定温度に保つように吐出口１３１ａを開閉し、第二の収納区画１０４ｃに送出される冷気の量を調節する。
【０１５８】
吐出口１３１ａの下流側には内部箱体１３８が配置されており、吐出口１３１ａから第二の収納区画１０４ｃ内に送出された冷気は、内部箱体１３８に当接し、内部箱体１３８自体を冷却する。前述したように、内部箱体１３８は金属で構成されたり、少なくともその一部に金属が用いられたりしているため、その良好な熱伝導性により内部箱体１３８全体をすばやく、かつ、均一に冷却することが可能である。このとき、断熱扉１３４に取り付けられた内部箱体用蓋体１３９も内部箱体１３８と同一の金属で構成されているため、熱伝導性が良く、すばやく均一に冷却されることになる。したがって、内部箱体１３８と内部箱体用蓋体１３９に囲まれた独立収納区画１４０内は、温度分布のばらつきを最小限に抑えて均一に冷却されることとなる。また、金属製の内部箱体１３８に積極的に冷気を当接させることにより、当該内部箱体１３８を急速に冷却し、それによって、独立収納区画１４０内に収納された被冷却物１３３を急速に冷凍することが可能となる。
【０１５９】
第二の収納区画１０４ｃ内を循環し、内部箱体１３８を冷却した冷気は、吸込口１３１ｃから冷却室１１０に帰還し、冷却器１１２によって再び冷却される。
【０１６０】
内部箱体１３８の天面に取り付けられた温度検知手段１２７は、独立収納区画１４０内部の空気温度、引き出しケース１４１、または、被冷却物１３３の温度を検知することができる。この温度情報は、電気的に接続された制御手段１２８に電気信号として送られ、制御手段１２８は、事前に設定された温度になるよう、冷却ファン１１３または冷凍サイクルを適切に制御する。具体的には、冷却ファン１１３または冷凍サイクルの運転間隔を可変させたりできる。
【０１６１】
なお、冷凍サイクルに蒸気圧縮式冷凍システムを用いる場合には、圧縮機１０９の回転数を制御して、冷却器１１２の温度自体を可変させることも可能である。
【０１６２】
また、本実施の形態では、第二の収納区画１０４ｃの設定温度を、約−１０℃とし、解凍の手間削減と長期保存を両立させることができる。なお、通常の冷凍温度である−２０℃程度にすることで、より長期の保存を安心して行うことができる等、温度帯により使い勝手が異なるため、この温度帯に限るものではない。
【０１６３】
本実施の形態の場合、独立収納区画１４０内は、温度検知手段１２７、制御手段１２８、冷凍サイクル、およびその他の冷却手段によって約−１０℃に温度調整されている。具体的には、例えば、この独立収納区画１４０内の引き出しケース１４１に、比較的高温である約１５℃程度の被冷却物１３３を収納するとする。独立収納区画１４０内は約−１０℃に温度調節されているため、収納された被冷却物１３３は周囲から熱を奪われ、徐々に温度が低下していく。この被冷却物１３３の温度は、内部箱体１３８の天面に設けられた温度検知手段１２７によって検知され、５℃まで低下したところで、制御手段１２８から電磁波発生装置１２５に信号が送られ、電磁波発生装置１２５で電磁波を発生させる。この電磁波の周波数は２．５４ＧＨｚである。この電磁波は、電気的に接続された同軸ケーブル等でアンテナ１２４に送られ、アンテナ１２４から被冷却物１３３に対して照射される。このとき、被冷却物１３３に印加される電力は約２〜３Ｗであり、被冷却物１３３を冷却するエネルギーよりも十分に小さく、電磁波を照射することで被冷却物１３３が温度上昇することはない。なお、電磁波の周波数を２．５４ＧＨｚであるとしたが、本実施の形態での効果はこの周波数に限定されるものではなく、例えば、３００ＭＨｚ以上３ＴＨｚ以下であれば良い。
【０１６４】
ここで、被冷却物１３３は、肉等の内部に水分を含んだ食品であるとする。電磁波を照射しない場合は、被冷却物１３３は、その表面から中心部に向かって徐々に凍結していくことになる。一方、電磁波を照射した被冷却物１３３は、表面温度の低下を抑制することができるので、表面から先に凍結していくことを抑制することができ、表面温度の低下を抑制した上で被冷却物１３３の内部温度も序々に低下していくので、被冷却物１３３の内外温度差を抑えながら冷却することが可能となり、進行速度の極めて速い凍結が被冷却物１３３の内部で生じる。
【０１６５】
また、被冷却物１３３の内外温度差を抑えながら冷却するためには、電磁波の照射に加えて、独立収納区画１４０の内部を比較的温度変化の少ない安定状態に維持する必要があり、内部箱体１３８と内部箱体用蓋体１３９が金属で構成されていることは、温度分布のばらつきを抑制し、運転中の温度変化幅を少なくすることに寄与している。
【０１６６】
またさらに、使用者の安全上、電磁波が独立収納区画１４０外に漏洩することを防止する必要があり、内部箱体１３８と内部箱体用蓋体１３９とが金属製であることは、この目的に合致しているものである。なお、内部箱体１３８と内部箱体用蓋体１３９との嵌合部は電磁波が漏れないような構成になっている。また、電磁波漏洩防止という観点においても、内部箱体１３８および内部箱体用蓋体１３９はその全てを金属で構成する必要はなく、独立収納区画１４０の内壁面となる部位のみで良い。
【０１６７】
次に、第二の収納区画１０４ｃにおいて、解凍を行う際の冷却について説明する。解凍時、吐出口１３１ａはダンパ１３２により閉塞される。冷却室１１０内に配置された冷却器１１２は、冷凍サイクルによって、−４０℃〜−２０℃程度に冷却される。これによって冷却室１１０内の空気が冷却され、冷却ファン１１３によって強制的に送り出された冷気は搬送風路１３７を通り第一の収納区画１０４ｂへ送出される。第一の収納区画１０４ｂを冷却し、温度の上がった冷気は通気口１３１ｂを通り第二の収納区画１０４ｃ内に送出される。
【０１６８】
前述の通り、第一の収納区画１０４ｂは１℃〜５℃に設定されているため、第二の収納区画１０４ｃには、１℃〜５℃程度の冷気が送出されることになる。したがって、第二の収納区画１０４ｃを冷蔵温度に設定することができる。
【０１６９】
通気口１３１ｂの下流側には内部箱体１３８が配置されており、通気口１３１ｂから第二の収納区画１０４ｃ内に送出された冷気は、内部箱体１３８に当接する。前述したように、内部箱体１３８は金属で構成されたり、少なくともその一部に金属が用いられたりしているため、その良好な熱伝導性により内部箱体１３８全体をすばやく、かつ、均一な温度にすることが可能である。したがって、第二の収納区画１０４ｃを、冷凍および保存のための温度設定である約−１０℃から解凍に適した冷蔵温度に昇温する時間を短縮することができる。昇温時間の短縮は、解凍時間の短縮に繋がるため、使用者の使い勝手を向上させ、消エネ性を向上させることができる。
【０１７０】
第二の収納区画１０４ｃ内を循環し、内部箱体１３８を冷却した冷気は、吸込口１３１ｃから冷却室１１０に帰還し、冷却器１１２によって再び冷却される。
【０１７１】
本実施の形態において、電磁波発生装置１２５の出力を２０Ｗとし、第二の収納区画１０４ｃの温度を５℃として解凍を行った。その結果、解凍時間は５０分要したが、解凍後の温度を２３箇所測定した結果、温度ムラは約３℃しかなかった。一方、電子レンジ等を想定して電磁波の出力を３００Ｗ程度に上げた場合では、解凍後の温度ムラは約２０℃程度あった。一方、一般的な解凍方法として、冷蔵庫内で解凍する場合では解凍ムラは約３℃であったが、解凍に約２０時間も要してしまう。
【０１７２】
この結果、本実施の形態の冷凍装置は、解凍後の温度ムラを低減し、さらに解凍の時間を短縮することが可能となる。
【０１７３】
本実施の形態では、解凍に使用する電磁波の電力、つまり電磁波発生装置１２５の出力を２０Ｗで行ったがこれに限るものではなく、解凍に使用する電力は１００Ｗ以下、望ましくは５０Ｗ以下が温度ムラを低減できるため、望ましい。
【０１７４】
さらに本実施の形態では、温度ムラを低減するために、冷凍食品を例えば-５℃〜−１０℃まで解凍して包丁等で必要な分だけカットし、残りを再凍結することが可能となる。
【０１７５】
また、温度検知手段１２７が解凍終了を検知すると、自動的に制御手段１２８より解凍終了の信号を発信し、電磁波発生装置１２５の出力を停止することができるため、使用者は過熱の心配をする必要がない。なお、冷蔵庫１００Ｅにブザーまたは光等による報知手段を設け、使用者に解凍終了を知らせることで、解凍後の取り出し忘れを防止することができる。万が一、解凍後の食品の取り出しを忘れた場合も、第二の収納区画１０４ｃは約−１０℃に設定することができるため、食品等の傷みを抑制し安心して保存することができる。
【０１７６】
独立収納区画１４０内には引き出しケース１４１が配置されているが、使用者は断熱扉１３４を開放し、引き出しケース１４１を手前側に引き出すことができる。この状態で、食品等の被冷却物１３３を引き出しケース１４１内に載置した後、再び引き出しケース１４１を元の位置に戻し、断熱扉１３４を閉めることになる。引き出しケース１４１が無い場合を考えると、独立収納区画１４０の奥側へは手が届きにくい場合があり、また、手前側に被冷却物１３３を多数収納した場合には、奥側のスペースにアクセスしづらくなり、収納性が落ちることになる。それゆえ、引き出しケース１４１を用い、手前に引き出せるように構成することにより、引き出しケース１４１の奥側のスペースへの被冷却物１３３の収納性を向上させ、利便性を向上させることができる。
【０１７７】
また、前述したように、独立収納区画１４０の少なくとも内壁は金属で構成されていれば、引き出しケース１４１の内部において、すばやく温度分布のばらつきを最小限に抑えることができるので、より均一な冷却を実現することが可能である。したがって、金属で囲まれた独立収納区画１４０内に引き出しケース１４１を配置することで、被冷却物１３３の収納に際する使用者の利便性の向上と、温度分布のばらつきを抑えた均一な温度環境の維持とを両立させることができる。
【０１７８】
また、本実施の形態では、一般的な成人の使用者を想定した場合、第二の収納区画１０４ｃは腰程の高さに位置するため、引き出しケース１４１の引出し操作および被冷却物１３３の出し入れの姿勢を自然にすることができ、引き出しケース１４１内の視認性も良好である。第二の収納区画１０４ｃは解凍室としても使用されるため、一般的な冷蔵庫の機能である保存ではなく調理を行うことになるため、冷蔵庫１００Ｅ内に被冷却物１３３を入れている時間が短くなる。したがって、その開閉頻度は増加する可能性があるため、楽な姿勢で使え、視認性がよいことは、使い勝手の向上に非常に有効であるといえる。
【０１７９】
また、断熱扉１３４を開放すると、冷蔵庫１００Ｅ外の暖気が、独立収納区画１４０内部に流入することになるが、独立収納区画１４０の内壁は金属で構成されているため、一旦温度上昇したとしてもすばやく設定温度まで復帰することができる。
【０１８０】
本実施の形態では、電磁波発生装置１２５に、半導体素子を用いた電磁波発振器と電磁波増幅器を用いている。従来、食品の加熱に多く使われている電磁波発生装置は、一般的にはマグネトロンであるが、本実施の形態では、このマグネトロンに比べて電磁波発生装置１２５の設置スペースを小さくすることができる。
【０１８１】
また、マグネトロンは単一周波数しか発生することができないため、調理区画内で共振を起こすことが知られている。この場合、共振点の部分のみが加熱される等のおそれがあり、温度ムラの発生の原因となることから、調理区画内にスタラーファン等の電磁波攪拌器を設ける必要性が知られている。しかしながら、本実施の形態では、半導体素子を用いた電磁波発振器を用いているため、動作中に周波数を変動させることができる。それゆえ、周波数を変動させることで、共振点を遷移させることができ、電磁波攪拌器を必要としなくなる。したがって、独立収納区画１４０の庫内容積を小さくすることができるため、内部箱体１３８の設置スペースも削減することができる。これは、第一の収納区画１０４ｂの収納性の向上と、第二の収納区画１０４ｃを低温に維持するのに必要なエネルギーの削減による省エネ性の向上を実現することができる。さらに、被冷却物１３３の電磁波吸収特性に合わせた周波数を照射することも可能となるため、照射効率を高めることができ、さらに省エネ性を向上させることができる。
【０１８２】
電磁波発生装置１２５は電磁波を発生する際に発熱を伴うが、本実施の形態において、電磁波発生装置１２５は冷蔵室１０４の背面に設置されているため、隣接する庫内温度を最小に抑えることができ、省エネ性を著しく低下させることはない。
【０１８３】
なお、本実施の形態では電磁波発生装置１２５を断熱箱体１０１背面に設置したが、断熱箱体１０１の外側、例えば、機械室１０１ａ内または断熱箱体１０１天面に設置しても、同様の効果が得られる。また、電磁波発生装置１２５が低出力であり、表面温度上昇幅が小さい場合は、貯蔵室内に設置しても、省エネ性を著しく低下させることはない。
【０１８４】
以上のように、本実施の形態においては、冷蔵室１０４内には冷蔵温度帯で維持される第一の収納区画１０４ｂと、冷蔵温度帯より低い温度帯として例えば凍結温度より低い約−１０℃に維持される第二の収納区画１０４ｃとを有し、電磁波発生装置１２５より発振された電磁波を第二の収納区画１０４ｃに導入するものである。これにより、第二の収納区画１０４ｃにおいて被冷却物１３３の内外温度差を抑えながら冷却する高品位冷凍と解凍を実現することができる。それゆえ、専用の貯蔵室を設ける必要が無く、冷蔵庫１００Ｅの収納性の低下を最小限に止めて、高品位冷凍と高品位解凍を実現することができる。
【０１８５】
特に、本実施の形態に係る冷蔵庫１００Ｅであれば、用者の使い勝手を損なうことなく、冷蔵室１０４内で高品位の冷凍と解凍を実現することができる。
【０１８６】
以下、この点について具体的に説明する。生鮮食品等を冷凍して、その解凍時に鮮度または味を維持するためには、組織体の細胞を破壊しないこと、濃縮（細胞外に溶質が流出する）を抑制することが重要である。通常、低温環境に該食品を置くと、表面から徐々に冷却され中心部分は最後に凍るという現象が起こる。このような場合、食品表面にできた氷結晶が食品内部の未凍結状態の水分を引き出しながら拡大するため、中心部分に向かって大きな針状結晶が生成される。この大きな針状結晶は食品の細胞を破壊するため、解凍時に液汁の流出（ドリップ）が発生して品質低下を招いてしまう。一方、氷結晶が小さいと細胞の形状が維持され、解凍時のドリップ流出量は少なくなり、食品のうまみが保持されることになる。
【０１８７】
氷結晶の大きさを小さいまま保つためには、最大氷結晶生成帯（一般的には０℃〜−５℃の氷結晶が最も成長する温度帯）を通過する時間を短くすることが有効である。このことにより氷の結晶を小さくできるので、細胞の破壊を防止できるとともに、濃縮を抑制することができる。最大氷結晶生成帯を通過する時間を短くするための技術としては、急速冷凍が一般的に知られている。この急速冷凍の方法として、大型冷凍機を用いたもの、液体窒素または液体二酸化炭素等の極低温液体を用いたもの等が挙げられる。
【０１８８】
しかしながら、前者の大型冷凍機で急速冷凍したとしても、原理的に被冷凍物表面からの熱伝導により内部を冷却する方式には変わりがなく、大きな食品になると冷凍が完結するまでに数分〜数時間要してしまうこともある。そのため、被冷凍物の表面と内部との凍結時間の差が大きくなり、特に被冷凍物表面の氷の結晶が大きくなって細胞が破壊されたり、濃縮が起こったりする場合があった。
【０１８９】
また、極低温冷気を作り出すためには、高性能で、巨大な圧縮機を搭載する必要がある等、コスト的なデメリットも考えられる。一方、後者の極低温液体を用いる方法では、凍結時間は短くできるが原料の供給が必要で、コスト高になるという問題があった。また、被冷凍物と極低温液体との温度差が大きいので、被冷凍物の膨張収縮が急速になってしまい、被冷凍物自身に亀裂または破裂等が生じてしまい、外観を損ねてしまうという問題もあった。
【０１９０】
以上のように、従来の急速凍結技術では、被冷凍物の表面と内部に凍結速度の差が生じることを完全には防ぐことができず、ある程度の針状結晶の生成と増大は否めないものであった。
【０１９１】
これに対して、本実施の形態に係る冷蔵庫１００Ｅであれば、冷蔵室１０４内には、電磁波発生装置１２５より発振された電磁波が導入可能な第二の収納区画１０４ｃが設けられている。それゆえ、前記実施の形態１でも説明したように、第二の収納区画１０４ｃ内で電磁波が照射された食品は過冷却状態となる。過冷却状態になった食品が、ある一定の温度になったことを温度検知手段１２７が検知すると、制御手段１２８からの信号により、電磁波発生装置１２５の運転を止めたり、あるいは、出力を可変させたりする。その後、外乱により過冷却状態が解除されると、進行速度の極めて速い凍結が食品内部で生じる。その結果、最大氷結晶生成帯（−１〜−５℃）を急速に通過することができ、高品位な冷凍を実現することができる。
【０１９２】
また、電磁波発生装置１２５を、半導体素子を用いた電磁波発振器と電磁波増幅器とから構成されるものとしたことで、マグネトロン等に比べて電磁波発生装置１２５の設置スペースを小さくすることができるため、さらに冷蔵庫１００Ｅの収納性を向上させることができる。
【０１９３】
また、半導体素子を用いた電磁波発振器は発生する電磁波の周波数を変動させることができる。それゆえ、第二の収納区画１０４ｃ内に導入された電磁波の反射特性を変動させることで、スタラーファン等の電磁波攪拌器を取り付ける必要がないため、第二の収納区画１０４ｃの設置スペースも削減することができる。これにより、さらに冷蔵庫１００Ｅの収納性を向上させると共に、低温に維持される第二の収納区画１０４ｃを小さくすることによる省エネ性の向上を実現することができる。
【０１９４】
また、庫内断熱箱体１３１に第一の収納区画１０４ｂと第二の収納区画１０４ｃを連通する通気口１３１ｂを備えたことにより、解凍時に素早く第二の収納区画１０４ｃの温度を上昇させることができるため、解凍時間が短縮でき、より使用者の使い勝手を向上することができる。また、解凍時間の短縮は、省エネ性の向上にも寄与する。
【０１９５】
また、冷蔵室１０４を冷蔵庫１００Ｅの最上部に配置し、第二の収納区画１０４ｃを冷蔵室１０４の最下部に設けたことにより、一般的な成人の腰程の高さに第二の収納区画１０４ｃが位置するため、引き出しケース１４１の引出し操作および被冷却物１３３の出し入れの姿勢を自然にすることができる。また、引き出しケース１４１内の視認性も良好であり、使い勝手を向上させることができる。
【０１９６】
（実施の形態６）
図１３は本発明の実施の形態６に係る冷蔵庫１００Ｆの正面図であり、図１４は図１３中のＩＩＩ−ＩＩＩ断面を示す側面断面図である。
【０１９７】
なお、実施の形態１または５と同様の構成および同様の技術思想が適用できる部分については、説明を省略するが、実施の形態１の構成に本実施の形態を組み合わせて実施することで不具合がない限り組み合わせて適用することが可能である。
【０１９８】
図１３に示すように、本実施の形態に係る冷蔵庫１００Ｆにおいては、前記実施の形態５の冷蔵庫１００Ｅと同様に、回転式の冷蔵室扉２０４ａが設けられている冷蔵室２０４を備えており、この冷蔵室２０４内には、冷蔵保存のために凍らない温度である冷蔵温度帯、通常１℃〜５℃に設定される第一の収納区画２０４ｂと、冷蔵温度帯より低い温度帯として例えば凍結温度より低い約−１０℃の凍結温度に設定することのできる第二の収納区画２０４ｃとが設けられている。なお、この冷蔵室２０４は第一の収納区画２０４ｂおよび第二の収納区画２０４ｃに区画されているので、複数の貯蔵室のうちの区画貯蔵室に相当する。
【０１９９】
第二の収納区画２０４ｃは、冷蔵室２０４内の最上段に設けられた庫内断熱箱体２３１にて構成され、被冷却物１３３を冷凍、解凍、保存する空間として設けられている。庫内断熱箱体２３１には前面開口部が設けられ、この前面開口部を閉塞する断熱扉２３４を備えている。断熱扉２３４と庫内断熱箱体２３１との間は、パッキン１３５によって空気的に遮断され、これにより第二の収納区画２０４ｃの内部が密閉状態で保たれている。
【０２００】
なお、庫内断熱箱体２３１の天面を断熱箱体１０１の天面と、庫内断熱箱体２３１の背面を冷蔵室背面部材１３６と、庫内断熱箱体２３１の左面を断熱箱体１０１左面と、それぞれ一体的に構成してもよい。
【０２０１】
冷蔵室背面部材１３６と断熱箱体１０１との間には、冷却ファン１１３により送出された冷気を冷蔵室１０４へ搬送する搬送風路１３７が構成されている。庫内断熱箱体２３１の背面上部には、搬送風路１３７の冷気を第二の収納区画２０４ｃに導入するための第二の収納区画２０４ｃ用の吐出口２３１ａが設けられ、庫内断熱箱体２３１の右面奥部には、第一の収納区画２０４ｂより冷気を導入する通気口２３１ｂが設けられている。吐出口２３１ａおよび通気口２３１ｂはダンパ１３２によって開閉自在に構成されている。庫内断熱箱体２３１の背面下部には、第二の収納区画２０４ｃを冷却した冷気が吸い込まれる吸込口２３１ｃが設けられている。吸い込まれた冷気は、再び冷却器１１２で熱交換され、冷たい冷気となって循環を繰り返す。これにより第二の収納区画２０４ｃの冷却が行われる。
【０２０２】
なお、本実施の形態においても、ダンパ１３２は開口部を選択することができるシングルダンパとしたが、ダンパ１３２をツインダンパとし、吐出口２３１ａと通気口２３１ｂとの開閉を別々に制御できるようにすることで、第二の収納区画２０４ｃの温度をより繊細に制御することができる。
【０２０３】
また、冷凍サイクルには様々な方式が考えられる。例えば、圧縮機を用いる蒸気圧縮式冷凍システム、吸収式冷凍システム、ペルチェ式冷凍システム、あるいはそれらの組み合わせ等を用いることができる。
【０２０４】
前記実施の形態５と同様に、第二の収納区画２０４ｃ内部には内部箱体１３８が配置され、当該内部箱体１３８は開放部１３８ａを有している。開放部１３８ａは断熱扉２３４により開閉可能となっており、断熱扉２３４には、開放部１３８ａを略閉塞するために内部箱体用蓋体１３９が取り付けられている。
【０２０５】
第二の収納区画２０４ｃ内の内部箱体１３８内には、被冷却物１３３を載置する載置盆２４１が収納されている。この載置盆２４１は、断熱扉２３４を開くことにより手前方向に引き出され、被冷却物１３３の出し入れを可能にしている。なお、載置盆２４１は、断熱扉２３４の動作に連動してもしなくてもどちらでも良く、本実施の形態における効果に変わりはない。
【０２０６】
以上のように構成された本実施の形態の冷蔵庫１００Ｆについて、以下その動作、作用を説明する。
【０２０７】
前記実施の形態５と同様にして、本実施の形態においても、冷蔵室２０４内に設けられた第二の収納区画２０４ｃにおいて、高品位の冷凍と解凍を実現することができる。このとき、被冷却物１３３には、電磁波が照射されるため、他の冷却物を一切入れることができない。したがって、第二の収納区画２０４ｃは高品位冷凍または解凍、あるいはその両方を行うために、日頃からあまり多くの食品を入れておくことができない。本実施の形態では、第二の収納区画２０４ｃは冷蔵室２０４の最上段に設けられている。冷蔵室２０４の最上段は、使用者が最も視認し辛く、手が届き難いため、使い勝手が悪い領域である。したがって、冷蔵室２０４最上段に第二の収納区画２０４ｃを設けることは、実使用上、第一の収納区画２０４ｂの収納性の低下を最低限に抑える構造といえる。
【０２０８】
さらに、本実施の形態では、断熱箱体１０１の天面奥部に圧縮機１０９等を有する機械室１０１ａが設けられ、機械室１０１ａは、冷蔵室１０４内の最上部の後方領域に食い込んで形成されている。そのため、冷蔵室２０４の最上段は、他の領域に比べて奥行きが小さくなっている。したがって、最上段に第二の収納区画２０４ｃを設けることで、第二の収納区画２０４ｃの奥まで見渡すことが容易になる。
【０２０９】
冷蔵室２０４の最上段は、前述の通り手が届き難い場所であるが、第二の収納区画２０４ｃに載置盆２４１を設けることで、清掃を行い易く、使用者の使い勝手を上昇させることができる。なお、載置盆２４１を設置しなくてもよく、その場合は、断熱扉２３４は回転式扉または着脱式扉とすると使い勝手が良い。
【０２１０】
なお、断熱扉２３４の上辺を軸として回転させる回転式扉にすると、使用者が閉め忘れる心配が無いため、安心して使用することができる。
【０２１１】
以上のように、本実施の形態においては、冷蔵室２０４を冷蔵庫１００Ｆの最上部に配置し、通常手が届きにくい冷蔵室２０４の最上段に第二の収納区画２０４ｃを設けている。これにより、保存食品を多く貯蔵できない第二の収納区画２０４ｃを設置することによる、冷蔵室２０４の収納性低下の影響を実使用上最小限に抑えることができる。
【０２１２】
また、断熱箱体１０１の天面奥部に圧縮機１０９等を有する機械室１０１ａ設けることにより、冷蔵室２０４の最上段は、他の領域に比べて奥行きを小さくすることができる。そのため、最上段に設けられた第二の収納区画２０４ｃにおいては、その内部を奥まで見渡すことが容易となる。
【０２１３】
上記説明から、当業者にとっては、本発明の多くの改良または他の実施形態が明らかである。したがって、上記説明は、例示としてのみ解釈されるべきであり、本発明を実行する最良の態様を当業者に教示する目的で提供されたものである。本発明の精神を逸脱することなく、その構造および／または機能の詳細を実質的に変更できる。
【産業上の利用可能性】
【０２１４】
以上のように、本発明にかかる冷蔵庫は、消費電力を最小限に抑えながら、冷凍および冷蔵、解凍、加熱、保温の操作を、使用者が手間を掛けることなく高品質で行うことができ、また、使用者の使い勝手を損なうことなく、冷蔵室内で高品位の冷凍と解凍を実現することができる。それゆえ、本発明は、家庭用または業務用冷蔵庫だけでなく、解凍機、調理器、保温器などの各種用途にも広く適用することができる。
【符号の説明】
【０２１５】
１００Ａ〜１００Ｆ    冷蔵庫
１０１    断熱箱体
１０４，２０４    冷蔵室（第一の貯蔵室、区画貯蔵室）
１０４ａ，２０４ａ    冷蔵室扉
１０４ｂ，２０４ｂ    第一の収納区画
１０４ｃ，２０４ｃ    第二の収納区画
１０５，２０５    第二の冷凍室（第四の貯蔵室、区画貯蔵室）
１０５ａ，２０５ａ，３０７ａ    冷凍区画（第一の収納区画）
１０５ｂ    解凍区画（第二の収納区画）
１０５ｃ，１０６ａ，１０７ａ，１０８ａ    引き出し扉
１０６    製氷室（第五の貯蔵室）
１０７    第一の冷凍室（第二の貯蔵室）
１０８    野菜室（第三の貯蔵室）
１０９    圧縮機
１１８，３１８，    引き出し扉
１２４    アンテナ
１２５    電磁波発生装置
１２６    同軸ケーブル
１３１ｂ、２３１ｂ      通気口
２０５ｂ，３０７ｂ    調理区画（第二の収納区画）
３０７    第一の冷凍室（第二の貯蔵室、区画貯蔵室）
３３０    加熱手段
【図１】
2011135865.tif 000003
【図２】
2011135865.tif 000004
【図３】
2011135865.tif 000005
【図４】
2011135865.tif 000006
【図５】
2011135865.tif 000007
【図６】
2011135865.tif 000008
【図７】
2011135865.tif 000009
【図８】
2011135865.tif 000010
【図９】
2011135865.tif 000011
【図１０】
2011135865.tif 000012
【図１１】
2011135865.tif 000013
【図１２】
2011135865.tif 000014
【図１３】
2011135865.tif 000015
【図１４】
2011135865.tif 000016
【図１５】
2011135865.tif 000017
【図１６】
2011135865.tif 000018
【図１７】
2011135865.tif 000019
【国際調査報告】
2011135865.tif 000020
2011135865.tif 000021
2011135865.tif 000022
2011135865.tif 000023